(57)【要約】【課題】前面パネルが汚れにくく、掃除性も良く、また、排気流と給気流間におけるショートサーキットが生じない同時給排形換気扇を提供することを目的とする。【解決手段】室外側給気口９と給気用送風機６を介して、排気用送風機３より遠ざかった位置に設けられる給気口１０と排気用送風機３の前方に設けられる排気口１１とを設けた本体１３と、この本体１３の前方側を覆う形状で給気口１０と連通する室内側給気口１５を設けた前面パネル１６とを備え、排気口１１と連通する室内側排気口１４を、本体１３の上面と下面および側面に形成することにより、前面パネル１６が汚れにくく、掃除性も良く、ショートサーキットを生じない同時給排形換気扇を得られる。【選択図】図１
2005274098.tif 000002
【特許請求の範囲】
【請求項１】
排気用送風機を前方側に給気用送風機を後方側に設け、室外に対向して室外側排気口と室外側給気口を設け、前方側に前記室外側給気口と給気用送風機を介して、前記排気用送風機より遠ざかった側方位置に設けられる給気口と、前記排気用送風機の前方に設けられる排気口とを設けた本体と、この本体の前方側を覆う形状で前記給気口と連通する室内側給気口を設けた前面パネルとを備え、前記排気口と連通する室内側排気口を、前記本体の上部、下部および側部に形成した同時給排形換気扇。
【請求項２】
前記本体の上部、下部および側部に形成される室内側排気口の排気風量を略同一風量とした請求項１記載の同時給排形換気扇。
【請求項３】
前面パネルの室内側給気口には給気用グリルを設け、それ以外の部分をフラット状に形成した請求項１または２記載の同時給排形換気扇。
【請求項４】
本体の前方に設けられる前面パネルにより前記本体との間に室内側排気口と連通する排気開口を形成した請求項３記載の同時給排形換気扇。
【請求項５】
本体に設けられる排気用送風機の吸込口となる排気口を前面パネルに対向して設け、前記本体と前面パネルとの間に排気通風路を形成した請求項３または４記載の同時給排形換気扇。
【請求項６】
排気用送風機を形成する排気用ファンケーシングの前面パネルに対向する角部を曲面形状に形成した請求項１記載の同時給排形換気扇。
【請求項７】
排気用ファンケーシングと本体との間で形成される狭小部を埋める形状の傾斜面を設けた請求項６記載の同時給排形換気扇。
【請求項８】
排気用送風機の吸込口となる排気口の近傍に前面パネル内面に当接して前面パネルを保持する保持リブを設けた請求項３、４または５記載の同時給排形換気扇。
【請求項９】
排気用送風機の排気通風路と、給気用送風機の室内側給気口を仕切る仕切板を本体の前方側に設け、前面パネルの装着時に前記仕切板が前記前面パネルの内面に当接して排気流と給気流を仕切る構成とした請求項３、４、５または８記載の同時給排形換気扇。
【請求項１０】
前記室内側排気口を本体の上部、下部、および側部のいずれか２箇所に形成した請求項１記載の同時給排形換気扇。
【請求項１１】
本体の上部、下部、および側部に形成される室内側排気口と、前面パネルの前面とを除く位置に室内側給気口を配設した請求項２記載の同時給排形換気扇。
【請求項１２】
前記排気開口を、前記本体の側部と前面パネルの間に形成した請求項４記載の同時給排形換気扇。
【発明の詳細な説明】
【技術分野】
【０００１】
本発明は、室内空気の排気と室外空気の給気を同時に行なう同時給排形換気扇に関する。
【背景技術】
【０００２】
従来、この種の同時給排形換気扇の一例として同時給排を行なう空調換気扇が知られている（例えば、特許文献１参照）。
【０００３】
以下、その空調換気扇について図１０を参照しながら説明する。
【０００４】
図に示すように、前方に排気ファン１０１を設け、排気ファン１０１の後方に給気ファン１０２を設け、室外に面して給気パイプ１０３と排気パイプ１０４を設けた本体１０５の前方を覆うように給気口１０６と排気口１０７を有した前面グリル１０８を設けている。
【特許文献１】実公平３−１７４２号公報（第２頁、第１図、第３図）
【発明の開示】
【発明が解決しようとする課題】
【０００５】
このような従来の空調換気扇では、前面グリル１０８に給気口１０６と排気口１０７を設けているので、排気口１０７には室内に浮遊している塵埃が排気流とともに排気口１０７に流入するため、排気口１０７を形成する複数本の機部分に塵埃が付着し、前面グリル１０８の前面を拭いたときには、塵埃が排気口１０７の機間に入り込み塵埃が取れにくいという課題があった。
【０００６】
また、給気口１０６と排気口１０７は、前面グリル１０８の前面側の同一面に形成されていることにより、給気流と排気流との間でショートサーキットを起こし効果的な換気ができないという課題があった。
【０００７】
本発明は、上記課題を解決するもので、前面パネルが汚れにくく掃除性も良く、また、排気流と給気流間におけるショートサーキットが生じない同時給排形換気扇を提供することを目的としている。
【課題を解決するための手段】
【０００８】
本発明の同時給排形換気扇は、上記目的を達成するために、室外側給気口と給気用送風機を介して排気用送風機より遠ざかった側方位置に設けられる給気口と、排気用送風機の前方に設けられる排気口とを設けた本体と、この本体の前方側を覆う形状で給気口と連通する室内側給気口を設けた前面パネルとを備え、排気口と連通する室内側排気口を、前記本体の上部、下部、および側部に形成したものである。
【０００９】
この手段により、前面パネルが汚れにくく、掃除性も良く、また、排気流と給気流間におけるショートサーキットが生じない同時給排形換気扇が得られる。
【００１０】
また、他の手段は、前記本体の上部、下部、および側部に形成される室内側排気口の排気風量を略同一風量としたものである。
【００１１】
この手段により、どのような設置状態においても換気風量低下の影響を最小限にすることができる。
【００１２】
また、他の手段は、前面パネルを、室内側給気口には給気用グリルを設け、それ以外の部分をフラット状に形成したものである。
【００１３】
この手段により、前面パネルが汚れにくく掃除性を向上できる。
【００１４】
また、他の手段は、本体の前方に設けられる前面パネルにより前記本体との間に室内側排気口と連通する排気開口を形成したものである。
【００１５】
この手段により、排気開口は前方から目視できなくデザイン性の向上を図ることができる。
【００１６】
また、他の手段は、本体に設けられる排気用送風機の吸込口となる排気口を、前面パネルに対向して設け、前記本体と前面パネルとの間に排気通風路を形成したものである。
【００１７】
この手段により、前面パネル重量の軽量化を図ることでメンテナンスが容易となる。
【００１８】
また、他の手段は、排気用送風機を形成する排気用ファンケーシングの前面パネルに対向する角部を曲面形状に形成したものである。
【００１９】
この手段により、騒音の低減および風量増大を図ることができる。
【００２０】
また、他の手段は、排気用ファンケーシングと本体との間で形成される狭小部を埋める形状の傾斜面を設けたものである。
【００２１】
この手段により、騒音の低減および風量の増大を図ることができる。
【００２２】
また、他の手段は、排気用送風機の吸込口となる排気口の近傍に前面パネル内面に当接して前面パネルを保持する保持リブを設けたものである。
【００２３】
この手段により、前面パネルの変形防止および薄形化を図ることができる。
【００２４】
また、他の手段は、排気用送風機の排気通風路と、給気用送風機の室内側給気口を仕切る仕切板を本体の前方側に設け、前面パネルの装着時に前記仕切板が前面パネルの内面に当接して排気流と給気流を仕切る構成としたものである。
【００２５】
この手段により、本体と前面パネル間における排気流と給気流のショートサーキットが防止できる。
【００２６】
また、他の手段は、前記室内側排気口を、本体の上部、下部、および側部のいずれかの２箇所に形成したものである。
【００２７】
この手段により、室内側排気口を設置場所に対応して形成できる。
【００２８】
また、他の手段は、本体の上部、下部、および側部に形成される室内側排気口と、前面パネルの前面とを除く位置に室内側給気口を配設したものである。
【００２９】
この手段により、前面パネルの汚れを軽減でき、掃除性を向上できる。
【００３０】
また、他の手段は、前記排気開口を、前記本体の側部と前面パネルの間に形成したものである。
【００３１】
この手段により、排気開口が室内側給気口からより離れた位置に構成できるので、本体から吹き出される給気流と本体に吸い込まれる排気流がショートサーキットすることを防ぐことができる。
【発明の効果】
【００３２】
前面パネルが汚れにくく、掃除性も良く、また、排気流と給気流間におけるショートサーキットが生じない同時給排形換気扇を提供できる。
【００３３】
また、設置場所が変っても換気風量低下の影響を少なくできる。
【００３４】
また、デザイン性の向上を図ることができる。
【００３５】
また、前面パネルの薄形化、軽量化およびメンテナンス性の向上を図ることができる。
【００３６】
また、騒音の低減、風量の増大を図ることができる。
【００３７】
また、設置場所に対応した室内側排気口を形成することができる。
【発明を実施するための最良の形態】
【００３８】
本発明の請求項１記載の発明は、排気用送風機を前方側に給気用送風機を後方側に設け、室外に対向して室外側排気口と室外側給気口を設け、前方側に前記室外側給気口と給気用送風機を介して、前記排気用送風機より遠ざかった側方位置に設けられる給気口と、前記排気用送風機の前方に設けられる排気口とを設けた本体と、この本体の前方側を覆う形状で前記給気口と連通する室内側給気口を設けた前面パネルとを備え、前記排気口と連通する室内側排気口を、前記本体の上部、下部、および側部に形成したものであり、前面パネルには、室内側排気口がないので、室内の汚染された空気により前面パネルの汚れる度合いが少なくなるとともに、前面パネルの掃除がしやすく、また、室内側排気口と室内側給気口は前面パネルの同一面に設けられるものではなく、また、室内側排気口と室内側給気口は遠ざかった位置に設けられていることにより排気流と給気流におけるショートサーキット現象が生じることがなくなるという作用を有する。
【００３９】
また、請求項２記載の発明は、前記本体の上部、下部、および側部に形成される室内側排気口の排気風量を略同一風量としたものであり、換気扇を天井または室内の角部において、側方の壁に近傍して設置した場合には、上部または側部の室内側排気口が天井または壁により閉鎖される状態になるが、上部が閉鎖される状態のときには、側部と下部の室内側排気口が有効に作用し、側面が閉鎖される状態のときには、上部と下部の室内側排気口が有効に作用し、換気風量低下の影響を最小限に押さえることができるという作用を有する。
【００４０】
また、請求項３記載の発明は、前面パネルの室内側給気口には給気グリルを設け、それ以外の部分をフラット状に形成したものであり、前面パネルには給気グリルを設けた室内側給気口のみが露出することとなり、前面パネルに室内側排気口が設けられていないことにより、前面パネルの汚れが少なく、汚れを掃除するときには、給気グリル以外はフラット状であるため掃除性が良くなるという作用を有する。
【００４１】
また、請求項４記載の発明は、本体の前方に設けられる前面パネルにより前記本体との間に室内側排気口と連通する排気開口を形成したものであり、室内側排気口と連通する排気開口が本体と前面パネルとの間に形成されることにより、室内の汚染された空気が排気開口より排気されることとなっても、排気開口は前面パネルの正面側から透視できないので汚れが目立たず、デザイン性が良くなるとともに、表面に露出する部分は前面パネルだけであるので、掃除性も良くなるという作用を有する。
【００４２】
また、請求項５記載の発明は、本体に設けられる排気用送風機の吸込口となる排気口を、前面パネルに対向して設け、前記本体と前面パネルとの間に排気通風路を形成したものであり、本体と前面パネルとの間に排気通風路を形成するためには前面パネルを浅形に形成する必要があり、深形に形成していた従来の前面グリルに比較して前面パネルの軽量化を図ることができ、メンテナンス時に前面パネルを取り外すときの作業が容易となり、メンテナンス性が向上するという作用を有する。
【００４３】
また、請求項６記載の発明は、排気用送風機を形成する排気用ファンケーシングの前面パネルに対向する角部を曲面形状に形成したものであり、排気用送風機のファンを囲む排気用ファンケーシングは渦巻状に形成され、通常は、角部は角ばっており、この角部により本体と前面パネル間を流れる排気流の抵抗となって排気流が流れにくくなっていたが、角部を曲面形状とすることにより、排気通風路の抵抗が少なくなり、騒音値の低減および風量の増大を図ることができる。
【００４４】
また、請求項７記載の発明は、排気用ファンケーシングと本体との間で形成される狭小部を埋める形状の傾斜面を設けたものであり、排気用送風機のファンを囲む排気用ファンケーシングは渦巻状に形成されていることにより、本体と排気用ファンケーシングの外周部との間に先端が小さい狭小部が形成されることとなり、本体の上部および下部の室内側排気口より排気用送風機の吸込口となる排気口に流れる排気流が狭小部に衝突して行き止まりとなり排気流がスムーズに流れなかったのを狭小部を埋める傾斜面を設けたことによって、排気通風路の抵抗が小さくなり、騒音値の低減および風量増大を図ることができるという作用を有する。
【００４５】
また、請求項８記載の発明は、排気用送風機の吸込口となる排気口近傍に前面パネル内面に当接して前面パネルを保持する保持リブを設けたものであり、前面パネルが保持リブにより保持されることにより、本体と前面パネルとの間に形成される排気通風路が常に一定の形状に形成されることとなり、排気風量が増減することなく、安定した換気を行なうことができるとともに、前面パネルの形状を薄くしても前面パネルの変形による排気風量の変化を防止できるという作用を有する。
【００４６】
また、請求項９記載の発明は、排気用送風機の排気通風路と、給気用送風機の室内側給気口を仕切る仕切板を本体の前方側に設け、前面パネルの装着時に前記仕切板が前記前面パネルの内面に当接して排気流と給気流を仕切る構成としたものであり、前面パネルを装着することにより、本体に設けた仕切板が前面パネルの内面に自動的に当接し、室内側給気口に流れる給気流と、室内側排気口から排気用送風機の吸込口となる排気口に流れる排気流が確実に分離され、本体と前面パネル間における排気流と給気流のショートサーキットは防止され、効率の良い換気を行なうことができるとともに、前面パネルが仕切板で支持されることにより前面パネルの形状を薄くしても前面パネルの変形を防止することができるという作用を有する。
【００４７】
また、請求項１０記載の発明は、前記室内側排気口を本体の上部、下部、および側部のいずれか２箇所に形成したものであり、室内側排気口を本体の側部と下部の２箇所に設けたときには、換気扇を天井付近に設置することにより、上部の室内側排気口が閉鎖されていることにより、天井に沿って室内の汚染された空気が流れることがなくなり、天井面を汚すことがなくなる。
【００４８】
また、室内の角部の近傍で側方に壁部が対向する場所に設置するときには、室内側排気口を本体の上部と下部の２箇所に設けたものを用いることにより、本体の側部の室内側排気口が閉鎖されていることにより、側部の室内側排気口に室内の汚染された空気が流れることがなくなり、壁部が室内の汚染空気の流れにより汚れるということがなくなるという作用を有する。
【００４９】
また、請求項１１記載の発明は、本体の上部、下部、および側部に形成される室内側排気口と前面パネルの前面とを除く位置に室内側給気口を設けたものであり、室内側給気口を前面パネル以外の位置にも配設することが可能となり、前面パネルの前面部の全面をフラット状態にも形成することができ、前面パネルによるデザイン性の向上および掃除性の向上を図ることができ、また、室内側排気口より遠ざかった位置に室内側給気口を形成することが可能となり、排気流と給気流のショートサーキットを防止することができる。
【００５０】
また、請求項１２記載の発明は、前記排気開口を、前記本体の側部と前面パネルの間に形成したものであり、排気開口が室内側給気口からより離れた位置に構成できるので、本体から吹き出される給気流と本体に吸い込まれる排気流がショートサーキットすることを防ぐとともに、排気開口が前面パネルによって前方から隠れた状態になるので、排気開口が前方からは全く見えない外観に優れた換気扇を提供できる。
【００５１】
（実施の形態１）
図１〜図４に示すように、排気用ファン１を渦巻状の排気用ファンケーシング２で囲み形成された排気用送風機３を前方側に、給気用ファン４を渦巻状の給気用ファンケーシング５で囲み形成された給気用送風機６を後方側に設け、室外に対向し壁部７を貫通して形成される筒状の室外側排気口８と室外側給気口９を設け、前方側に室外側給気口９と給気用送風機６を介して排気用送風機３より遠ざかった側方位置に設けられる給気口１０と、排気用送風機３の前方に設けられた吸込口となる排気口１１と、給気用送風機６の給気流と排気用送風機３の排気流との間で熱交換できるように給気口１０側の空間の給気流と排気流の交差位置に全熱交換器１２を設け、本体１３を形成し、本体１３の前面側の上部、下部、および側部に排気風量を略同一風量とした室内側排気口１４を形成する。
【００５２】
また、本体１３の前方側を覆う形状で給気口１０と連通する室内側給気口１５を形成した前面パネル１６を、本体３と前面パネル１６との間に室内側排気口１４の排気開口１７および、室内側排気口１４と排気用送風機３の吸込口となる排気口１１に連通する排気通風路１８を形成するように設け、前面パネル１６の室内側給気口１５には給気用グリル１９を設け、それ以外はフラット状に形成する。
【００５３】
また、排気用送風機３を形成する渦巻状の排気用ファンケーシング２の前面パネル１６に対向する角部を曲面形状２０に形成し、排気用送風機３を形成する渦巻状の排気用ファンケーシング２と本体１３との間で形成される先端の狭い狭小部２１を埋める形状の傾斜面２２を設ける。
【００５４】
また、排気用送風機３の排気通風路１８と、給気用送風機６の室内側給気口１５を仕切る仕切板２３を本体１３の前方側に設け、前面パネル１６の装着時に仕切板２３が前面パネル１６の内面に設けたパッキン２４に当接して排気流と給気流を仕切るとともに、排気用送風機３の吸込口となる排気口１１の近傍に前面パネル１６の内面に当接して前面パネル１６を保持する保持リブ２５を設け構成する。
【００５５】
上記構成において、室外側排気口８と室外側給気口９が室外と連通するように本体１３を壁部７に設け、前面パネル１６を装着した状態で同時給排形換気扇を運転すると、排気用送風機３により室内の空気が本体１３の上部、下部、および側部に形成した室内側排気口１４の排気開口１７より流入し、室内側排気口１４より排気用送風機３の排気用ファンケーシング２の曲面形状２０に沿いスムーズに流れるとともに、排気用ファンケーシング２と本体１３との間に形成された傾斜面２２に沿い排気流が衝突することなくスムーズに流れ、排気通風路１８を通り排気用送風機３の吸込口となる排気口１１内に吸い込まれ、全熱交換器１２で熱交換したのち、室外側排気口８より室外に放散される。
【００５６】
一方、給気用送風機６により、室外側給気口９より室外の空気が吸い込まれ、全熱交換器１２に送られ全熱交換器１２を通して熱を回収し、給気口１０を経て前面パネル１６に設けた室内側給気口１５より室内に給気され同時給排換気が行なわれることとなる。
【００５７】
また、同時給排形換気扇を天井または室内の角部において側方の壁に近接して設置した場合には、本体１３の上部または側部の室内側排気口１４が天井または壁により閉鎖される状態になるが、上部が閉鎖される状態のときには、側部と下部の室内側排気口１４が有効に作用し、換気風量低下の影響を最小限に押さえることができる。
【００５８】
また、室内側排気口１４が本体１３の上部、下部、および側部に設けられていることにより、室内の塵埃を含む空気が室内側排気口１４より排気されるときに室内側排気口１４が前面パネル１６の前方から見て透視できない位置に配設されていること、および、分散されて設けられていることにより、室内側排気口１４の汚れも少なく見えにくくなるとともに、前面パネル１６の汚れが少なくなり、デザイン性効果も高められる。
【００５９】
また、室内側排気口１４と室内側給気口１５は同一面ではなく、異なる面に設けられることにより、排気流と給気流間のショートサーキットも無くなり効率良く換気できる。
【００６０】
また、前面パネル１６は、本体１３側に設けた仕切板２３および保持リブ２５により保持されることにより、厚みを薄く形成でき前面パネル１６の重量が軽くなり前面パネル１６の着脱時の取扱性が良くなるとともに、前面パネル１６には室内側排気口１４と比較して汚染の度合いの少ない室内側給気口１５のみを設けていることにより、前面パネル１６の汚れも少なく、また、前面がフラット状に形成されていることにより掃除性も良くなることとなる。
【００６１】
また、排気開口１７は、本体１３の側部と前面パネル１６の間に形成されているので、排気開口１７が室内側給気口１５からより離れた位置に構成され、本体１３から吹き出される給気流と本体１３に吸い込まれる排気流がショートサーキットせず、排気開口１７が前面パネル１６によって前方から隠れた状態になるため、排気開口１７が前方からは全く見えないことになる。
【００６２】
（実施の形態２）
図５〜図８に示すように、室内側排気口１４Ａを本体１３Ａの上部、下部、および側部のいずれか２箇所に形成し構成する。
【００６３】
上記構成において、本体１３Ａを天井２６近くに設置するときは、図５に示すように室内側排気口１４Ａを下部と側部の２箇所に設け、上部は閉鎖されている状態のものを設置する。このことにより、天井２６に沿って室内の汚染された空気が流れることがなくなり、天井２６を汚すことがなくなるとともに、前面パネル１６Ａの上方部の汚染も少なくすることができる。
【００６４】
また、室内の角部の近傍で側面に壁部７Ａが対向する場所に設置するときには、図８に示すように、室内側排気口１４Ａを本体１３Ａの上部と下部に設け、側部は閉鎖されている状態のものを設置する。このことにより、壁部７Ａに沿って室内の汚染された空気が流れることがなくなり、壁部７Ａを汚すことがなくなるとともに、前面パネル１６Ａの側方部側の汚染が少なくなる。
【００６５】
（実施の形態３）
図９に示すように、本体１３の上部、下部、および側部に形成される室内側排気口１４Ｂと、前面パネル１６Ｂの前面とを除く位置に室内側給気口１５Ａを設け構成する。
【００６６】
上記構成においては、前面パネル１６Ｂの前面部の全面をフラット状に形成することができ、前面パネル１６Ｂによるデザイン性の向上および掃除性の向上を図ることができ、また、室内側排気口１４Ｂより遠ざかった位置に室内側給気口１５Ａを形成することが可能となり、排気流と給気流のショートサーキットを防止することができる。
【産業上の利用可能性】
【００６７】
本体の上部、下部、および側部に設けられる室内側排気口に変えて室内側空気循環口を形成することにより、空気調和機の室内機にも適用できる。
【図面の簡単な説明】
【００６８】
【図１】本発明の実施の形態１の同時給排形換気扇の横断面図
【図２】同同時給排形換気扇の本体の斜視図
【図３】同同時給排形換気扇の縦断面図
【図４】同同時給排形換気扇の斜視図
【図５】本発明の実施の形態２の同時給排形換気扇の斜視図
【図６】同同時給排形換気扇を天井近くに設置状態を示す概略図
【図７】同同時給排形換気扇を側面が対向する壁近くに設けた概略図
【図８】同同時給排形換気扇の他の状態を示す斜視図
【図９】本発明の実施の形態３の同時給排形換気扇の斜視図
【図１０】従来の空調換気扇の横断面図
【符号の説明】
【００６９】
２  排気用ファンケーシング
３  排気用送風機
６  給気用送風機
８  室外側排気口
９  室外側給気口
１０  給気口
１１  排気口  
１３  本体
１３Ａ  本体
１４  室内側排気口
１４Ａ  室内側排気口
１４Ｂ  室内側排気口
１５  室内側給気口
１５Ａ  室内側給気口
１６  前面パネル
１７  排気開口
１８  排気通風路
１９  給気用グリル
２０  曲面形状
２２  傾斜面
２３  仕切板
２５  保持リブ
【図１】
2005274098.tif 000003
【図２】
2005274098.tif 000004
【図３】
2005274098.tif 000005
【図４】
2005274098.tif 000006
【図５】
2005274098.tif 000007
【図６】
2005274098.tif 000008
【図７】
2005274098.tif 000009
【図８】
2005274098.tif 000010
【図９】
2005274098.tif 000011
【図１０】
2005274098.tif 000012